(57)【要約】【課題】上下の横フレームのみでスクリーンに、テンションをかけて張設することができるとともに、部品点数を減すこともできるので、コストダウン及び軽量化が可能であり、幅のある大きなスクリーンでも容易に持ち運びができるスクリーンパネルを提供すること。【解決手段】ベース３から立設させた少なくとも１本の支柱４の上下に、互いが対向する横フレーム５、６の長手方向の重心位置近傍が各々取り付けられているとともに、前記両横フレーム５、６に、スクリーン９の上下端縁が各々取り付けられ、これら両横フレーム５、６間に、前記スクリーン９を上下にテンションをかけて、張設したスクリーンパネルを構成する。【選択図】  図１
2004159674.tif 000002
【特許請求の範囲】
【請求項１】
ベースから立設させた少なくとも１本の支柱の上下に、互いが対向する横フレームの長手方向の重心位置近傍が各々取り付けられているとともに、前記両横フレームに、スクリーンの上下端縁が各々取り付けられ、両横フレーム間に、前記スクリーンが上下にテンションをかけて張設されていることを特徴とするスクリーンパネル。
【請求項２】
前記対向する両横フレームにおける互いのフレームの端部が離間するように、少なくとも上下いずれかの横フレームを傾斜させ前記スクリーンに、上下方向にテンションをかけた請求項１に記載のスクリーンパネル。
【請求項３】
スクリーンの上下端部が横フレーム内でクロスクリップを介して掴持されており、前記両横フレームが、上面視で円弧状に形成されている請求項１に記載のスクリーンパネル。
【請求項４】
少なくとも上下いずれかの横フレームを円弧状にし、互いのフレームにおける端部が離間するように、少なくとも上下いずれか一方の円弧状のフレームを傾斜させて支柱に取り付けた請求項１ないし３のいずれかに記載のスクリーンパネル。
【請求項５】
前記スクリーンが、透光性を有する材質で構成された請求項１に記載のスクリーンパネル。
【発明の詳細な説明】
【０００１】
【発明の属する技術分野】
本発明は、床面に立設させた間仕切りとしてのスクリーンパネルに関する。
【０００２】
【従来の技術】
従来、オフィスなどで使用されている間仕切りとしてのパネル等において、布地などで構成されるスクリーンを張るには、スクリーンの四方にフレームを設け、下部のフレームにベースを取り付けて、床面に立設するものがある。（例えば、特許文献１参照）
【０００３】
【特許文献１】
実公昭６０−１６７２号公報（第１−２頁、第１図）
【０００４】
【発明が解決しようとしている課題】
しかしながら、文献１にあっては、スクリーンにテンションをかけて張設ためには、横フレームを左右両側にある縦フレームで強固に固定しなければならず、縦フレームの存在が不可欠であった。そのためパネルを移動する際には、パネルの左右両側の縦フレームを、両手で掴み移動しなければならないばかりか、両手で掴めないくらいの幅の広いパネルの場合は、複数の人数で左右両側の縦フレームを各々掴み移動しなければならなかった。また、縦フレームが存在するために、部品点数が多くなり、製造するのにコストがかさみ、更に重量も増えるので移動もしづらかった。
【０００５】
本発明は、このような問題点に着目してなされたもので、上下の横フレームのみでスクリーンに、テンションをかけて張設することができるとともに、部品点数を減すこともできるので、コストダウン及び軽量化が可能であり、幅のある大きなスクリーンでも容易に持ち運びができるスクリーンパネルを提供することを目的とする。
【０００６】
【課題を解決するための手段】
上記の目的を解決するために、本発明のスクリーンパネルは、ベースから立設させた少なくとも１本の支柱の上下に、互いが対向する横フレームの長手方向の重心位置近傍が各々取り付けられているとともに、前記両横フレームに、スクリーンの上下端縁が各々取り付けられ、両横フレーム間に、前記スクリーンが上下にテンションをかけて張設されていることを特徴としている。
この特徴によれば、スクリーンの左右両側にある縦フレームがなくても、上下の横フレームだけでスクリーンに、テンションをかけて張ることができるようになるとともに、縦フレームが必要ないので部品点数を省略できるようになり、コストダウン及び軽量化が期待できるようになる。また、横フレームの長手方向の重心位置近傍が、中央部に寄った支柱で支持されているので、横フレームが長くて、幅のある大きなスクリーンでも支柱に対して、左右に重さが均等化されているために、支柱を掴むことで持ち運びしやすくなる。
【０００７】
本発明のスクリーンパネルは、前記対向する両横フレームにおける互いのフレームの端部が離間するように、少なくとも上下いずれかの横フレームを傾斜させ前記スクリーンに、上下方向にテンションをかけることが好ましい。
このようにすれば、両横フレーム間の端部の幅が中央部の幅より広くなるので、スクリーンの左右側部に、より大きなテンションを与えることができるようになり、スクリーンで最もたわみやすい側部を平滑に張ることができるようになる。
【０００８】
本発明のスクリーンパネルは、スクリーンの上下端部が横フレーム内でクロスクリップを介して掴持されており、前記両横フレームが、上面視で円弧状に形成されていることが好ましい。
このようにすれば、スクリーンが上下に強いテンションをかけられた場合、掴持しているクロスクリップに、引き抜き力が加わるが、両横フレーム内のクロスクリップが円弧状であり、このような円弧状のクロスクリップは軸回転し難く、スクリーンがずれるのを防ぐことができるようになる。
【０００９】
本発明のスクリーンパネルは、少なくとも上下いずれかの横フレームを円弧状にし、互いのフレームにおける端部が離間するように、少なくとも上下いずれか一方の円弧状のフレームを傾斜させて支柱に取り付けることが好ましい。
このようにすれば、スクリーンの掴持力を強く保った状態で、スクリーンの左右側部に、より大きなテンションを与えることができるばかりか、スクリーンで最もたわみやすい側部を平滑に張ることができるようになる。
【００１０】
本発明のスクリーンパネルは、前記スクリーンが、透光性を有する材質で構成されることが好ましい。
このようにすれば、スクリーンパネルを間仕切りとして使用した際に、光を遮ることなく使用できるようになる。
【００１１】
【発明の実施形態】
以下、本発明の実施例を図面に基づいて説明すると、先ず図１は、本発明の実施例としてのスクリーンパネルの全体像を示す斜視図であり、図２（ａ）は、スクリーンパネルの上面図であり、（ｂ）は、スクリーンパネルの側面図である。
【００１２】
図１において、符号１は、スクリーンパネルであり、このスクリーンパネル１には、床面２に設置されたベース３から垂直に延びる１本の四角柱状の支柱４があり、支柱４の正面を向く面の最上部と最下部近傍には、横フレーム５、６がブラケット７、８によって取り付けられている。
【００１３】
スクリーン９は、長方形をした１枚の透光性のある布地で構成されており、このスクリーン９の上下端縁は、詳しくは、後述するように上下に取り付けられた横フレーム５、６によって掴持されている。
【００１４】
図２（ａ）に示すのは、スクリーンパネル１の上面図であり、ベース３は上面視が略Ｘ字状をしており、略Ｘ字状をなすことによって、スクリーンパネル１が前後左右のいずれかの方向に、倒れにくくなっている。また、ひとつのベース３で支えることで、複数のスクリーンパネル１を横に並べて立設させたときに、ベース３の部分が横フレーム５、６の内側に収まっており、隣接するスクリーンパネル１の邪魔にならずに、立設させることができるようになる。
【００１５】
ブラケット７、８は、上面視で略へ字状をしており、その中央部が支柱４に取り付けられており、ブラケット７、８の左右に延びた端部に、横フレーム５、６が取り付けられている。横フレーム５、６は、上面視で円弧状をしており、横フレーム５、６の端部が正面方向に反るような曲線を描いている。横フレーム５、６は、その長手方向のほぼ重心位置近傍で支柱４に支持されているので、例え横フレーム５、６が長くても、中央部の支柱４で安定して支持できるようになる。
【００１６】
図２（ｂ）は、スクリーンパネル１の側面図が示され、床面２に設置されているベース３から起立している支柱４の上方に設けられているブラケット７は、先端が上方を向くように傾斜しており、そのため下方横フレーム６に比べて上方横フレーム５が、上方を向くように傾斜して取り付けられている。
【００１７】
図３〜図４はスクリーン９の取り付け方法の一例を示したもので、図３は、スクリーン９を横フレーム５、６に取り付ける時の状態を示した側断面図であり、図の左側がスクリーン９の正面側であり、右側が背面側である。図４は、図１に示したＡ−Ａ断面におけるスクリーンパネル１の断面図であり、スクリーン９の取り付けられた横フレーム５、６が支柱４に取り付けられた状態を示したものである。
【００１８】
横フレーム５、６とスクリーン９との取り付け機構について、詳述すると、図３に示すように、横フレーム５、６は、枠材１０ａ、１０ｂとカバー部材１１ａ、１１ｂで構成されており、上下どちらの横フレーム５、６も同じ形状をしており、互いに対向している。
【００１９】
スクリーン９は布地で構成されており、上下両縁端はクロスクリップ１２ａ、１２ｂが挿入できるように、断面が略リング状の袋とじ９ａ、９ｂに形成されている。このクロスクリップ１２ａ、１２ｂは、断面が略コ字状の弾性変形可能な合成樹脂で成形されており、枠材１０ａ、１０ｂに、一体形成されている長手方向に延びた係止条１３ａ、１３ｂと嵌合するように形成されている。
【００２０】
スクリーン９の取付手順は、最初にスクリーン９の両端部の袋とじ９ａ、９ｂに、クロスクリップ１２ａ、１２ｂをそれぞれ挿入し、次に、スクリーン９の正面側からスクリーン９の両端部を、係止条１３ａ、１３ｂに向けて押圧すると、クロスクリップ１２ａ、１２ｂが外方に拡径した後、係止条１３ａ、１３ｂの頭部を掴持する。これによりスクリーン９は、２本の上下両枠材１０ａ、１０ｂに取り付けられる。
【００２１】
上下の枠材１０ａ、１０ｂに、スクリーン９を取付後に、カバー部材１１ａ、１１ｂを枠材１０ａ、１０ｂに対して、正面方向から押圧することで、係止条１３ａ、１３ｂとスクリーン９の端部が覆われるようにして、カバー部材１１ａ、１１ｂが枠材１０ａ、１０ｂに取り付けられる。このとき、カバー部材１１ａ、１１ｂに、形成した各々２本の係止爪１４ａ、１４ｂが、枠材１０ａ、１０ｂの溝部１５ａ、１５ｂと係止する。このようにカバー部材１１ａ、１１ｂを設けることで、係止条１３ａ、１３ｂからクロスクリップ１２ａ、１２ｂが脱落するのを防ぐことができるようになる。
【００２２】
また、スクリーン９の上下に、テンションをかけた場合には、掴持しているクロスクリップ１２ａ、１２ｂに、引き抜き力が加わりクロスクリップ１２ａ、１２ｂが軸回転する可能性があるが、横フレーム５、６が円弧状をしていることで、すなわちクロスクリップ１２ａ、１２ｂが円弧状に曲げられた状態で、カバー部材１１ａ、１１ｂと枠材１０ａ、１０ｂとで掴持されているため、クロスクリップ１２ａ、１２ｂは、軸回転し難くスクリーン９がずれるのを防ぐことができるようになる。
【００２３】
横フレーム５、６とブラケット７、８の取り付け状態について詳述すると、図４に示されるように、支柱４の上下には、ブラケット７、８が取り付けられており、上方のブラケット７の横フレーム５を連結する部分は、背面側に傾斜している。
【００２４】
すなわちスクリーン９を横フレーム５、６に取付後、これら上下両横フレーム５、６は、ブラケット７、８に取り付けられるわけであるが、スクリーン９の上下間の幅は、取付後の両横フレーム５、６の間隔に比べて、若干短く縫製されているため、取り付けられた際のスクリーン９は、上下にテンションをかけられた状態で張設されることになる。また、上方のブラケット７が傾斜していることにより、円弧状をしている横フレーム５は、その中央部より、両端部が上方に位置することになり、従って上下両横フレーム５、６間の幅に関して、中央部の幅より両端部の幅が広くなるので、スクリーン９の左右側部に、より大きなテンションを与えることができるようになり、スクリーン９で最もたわみやすい左右側部を平滑になるように張ることができるようになる。
【００２５】
以上、本発明の実施例を図面により説明してきたが、具体的な構成はこれら実施例に限られるものではなく、本発明の要旨を逸脱しない範囲における変更や追加があっても本発明に含まれる。
【００２６】
例えば、図５に示すように、上下両方の横フレーム５、６を、互いに上下に離れる方向に傾斜させて取り付けることにより、スクリーン９にテンションをかけることも可能である。
【００２７】
また、スクリーンに、透光性がない白地の布地を使用すれば、プロジェクター等の画面を映すための映写スクリーンとしても使うことが可能である。
【００２８】
更に、スクリーンに広告等を印刷すれば、宣伝用の立て看板として、使用することもできるようになる。
【００２９】
【発明の効果】
本発明は以下の効果を奏する。
【００３０】
（ａ）請求項１に記載の発明によれば、スクリーンの左右両側にある縦フレームがなくても、上下の横フレームだけでスクリーンに、テンションをかけて張ることができるようになるとともに、縦フレームが必要ないので部品点数を省略できるようになり、コストダウン及び軽量化が期待できるようになる。また、横フレームの長手方向の重心位置近傍が、中央部に寄った支柱で支持されているので、横フレームが長くて、幅のある大きなスクリーンでも支柱に対して、左右に重さが均等化されているために、支柱を掴むことで持ち運びしやすくなる。
【００３１】
（ｂ）請求項２に記載の発明によれば、両横フレーム間の端部の幅が中央部の幅より広くなるので、スクリーンの左右側部に、より大きなテンションを与えることができるようになり、スクリーンで最もたわみやすい側部を平滑に張ることができるようになる。
【００３２】
（ｃ）請求項３に記載の発明によれば、スクリーンが上下に強いテンションをかけられた場合、掴持しているクロスクリップに、引き抜き力が加わるが、両横フレーム内のクロスクリップが円弧状であり、このような円弧状のクロスクリップは軸回転し難く、スクリーンがずれるのを防ぐことができるようになる。
【００３３】
（ｄ）請求項４に記載の発明によれば、スクリーンの掴持力を強く保った状態で、スクリーンの左右側部に、より大きなテンションを与えることができるばかりか、スクリーンで最もたわみやすい側部を平滑に張ることができるようになる。
【００３４】
（ｅ）請求項５に記載の発明によれば、スクリーンパネルを間仕切りとして使用した際に、光を遮ることなく使用できるようになる。
【図面の簡単な説明】
【図１】本発明のスクリーンパネルの全体像を示す斜視図である。
【図２】（ａ）は、スクリーンパネルの上面図であり、（ｂ）は、スクリーンパネルの側面図である。
【図３】横フレームにスクリーンを取り付ける前の状態を示した側断面図である。
【図４】図１に示したＡ−Ａ断面におけるスクリーンパネルの側断面図である。
【図５】上下両方の横フレームを傾斜させて取り付けたスクリーンパネルの側断面図である。
【符号の説明】
１                スクリーンパネル
２                床面
３                ベース
４                支柱
５、６            横フレーム
７、８            ブラケット
９                スクリーン
９ａ、９ｂ        袋とじ
１０ａ、１０ｂ    枠材
１１ａ、１１ｂ    カバー部材
１２ａ、１２ｂ    クロスクリップ
１３ａ、１３ｂ    係止条
１４ａ、１４ｂ    係止爪
１５ａ、１５ｂ    溝部
【図１】
2004159674.tif 000003
【図２】
2004159674.tif 000004
【図３】
2004159674.tif 000005
【図４】
2004159674.tif 000006
【図５】
2004159674.tif 000007